(57)【要約】【課題】本考案は、冷却ファンを提供する。【解決手段】冷却ファンは：収容空間２０を画定する周囲壁２３と；収容空間２０に配置され且つ基板３４及び制御ユニット３１を有する回路板３であり、基板３４は周辺縁部を有する中央部分３４１、及び中央部分３４１の周辺縁部から延在し且つ周囲壁２３へ直接且つ確実に接続される複数の離間された接続梁３３を有する、ところの回路板３と；回路板３へ直接固定され且つ回路板３から収容空間２０内に突出する中空軸２２と；回路板３の基板３４の中央部分３４１上に確実にマウントされ、制御回路３１に結合する固定子４と；収容空間２０に配置され且つ中空軸２２へ回転可能に軸支されている環状ハブ５１を含むファンブレードユニット５と；ハブ５１にマウントされる回転子５４と、を有する。【選択図】図３
0003126656.tif 000002
【実用新案登録請求の範囲】
【請求項１】
冷却ファンであって：
ケーシング２であり、流体の通過のための前面開口部２０１及び背面開口部２０２を画定する周囲壁２３を有し、該周囲壁２３は収容空間２０を画定する内壁面２３０を有する、ところのケーシング２と；
前記収容空間２０に配置され且つ基板３４及び制御ユニット３１を含む回路板３であり、前記基板３４は周辺縁部を有する中央部分３４１、及び前記中央部分３４１の前記周辺縁部から延在し且つ前記周囲壁２３の前記内壁面２３０へ直接且つ確実に接続される複数の離間された接続梁３３を有し、前記制御ユニット３１は前記基板３４の前記中央部分３４１に配置されている、ところの回路板３と；
前記回路板３へ直接固定され且つ前記回路板３から前記収容空間２０を横切って突出し、回転軸線（Ｌ）を画定する中空軸２２と；
前記回路板３の前記基板３４の前記中央部分３４１上に確実にマウントされ、前記中空軸２２を包囲し、且つ前記制御回路３１に結合する固定子４と；
前記収容空間２０に配置され且つ前記中空軸２２へ回転可能に軸支されている環状ハブ５１を含み、前記固定子４を包囲し、且つ内壁５５を有するファンブレードユニット５と；
前記ハブ５１の前記内壁５５にマウントされ且つ前記固定子４を包囲し且つ前記固定子４に磁気的に結合し、それにより前記固定子４が作動されるとき前記回転軸線（Ｌ）周りを前記ファンブレードユニット５と共に回転する回転子５４と、
を有する、
ところの冷却ファン。
【請求項２】
前記ファンブレードユニット５は前記ハブ５１から外向きに延在する複数のブレード５３を更に有する、
請求項１記載の冷却ファン。
【請求項３】
前記中空軸２２にマウントされる一対の軸受６を更に有し、前記ハブ５１は前記軸受６を通じて前記中空軸２２へジャ―ナルされる車軸５２を設ける、
請求項１記載の冷却ファン。
【請求項４】
前記ケーシング２の前記周囲壁２３は、前記回転軸線（Ｌ）に対して横にある平面２３５を有し、前記基板３４は、前記周囲壁２３の前記平面２３５と略同一高にある平面３４０を有する、
請求項１記載の冷却ファン。
【考案の詳細な説明】
【技術分野】
【０００１】
本出願は、２００５年１１月２３日出願の台湾出願番号第０９４２２０３１７号の優先権を主張する。
【０００２】
本考案は、冷却ファン、より詳細には、ケーシング及び回路板が、ケーシングの周囲壁へ直接接続される冷却ファンに係る。
【背景技術】
【０００３】
図１及び図２を参照すると、従来の冷却ファン１が、ケーシング１１、制御ユニット１２、固定子１３、ファンブレードユニット１４、及び一対の軸受１５を含むよう示される。
【０００４】
ケーシング１１は、周囲壁１１０、周囲壁１１０から延在するマウンティングベース１１１、及びマウンティングベース１１１上に固定してマウントされた中空軸１１２を有する。
【０００５】
制御ユニット１２は、中空軸１１２の肩に設置され且つマウンティングベース１１１から離間した回路板１２１、及び回路板１２１に設けられた検出コンポーネント１２２を含む。
【０００６】
固定子１３は、制御ユニット１２の回路板１２１へ固定され且つ電気的に接続される。ファンブレードユニット１４は、固定子１３に関して回転可能である。
【０００７】
ファンブレードユニット１４は、固定子１３を覆う中空ハブ１４１、中空ハブ１４１に配置され且つケーシング１１の中空軸１１２へ軸支された回転車軸１４２、中空ハブ１４１から外方向に延在する複数のブレード１４３、回転子として機能し且つ中空ハブ１４１の内面にマウントされた磁気リング１４４を含む。
【０００８】
２つの軸受１５は、互いに離間され、ケ―シング１１の中空軸１１２にマウントされる。回転車軸１４２は、軸受１５を通って中空軸１１２へ軸支される。
【考案の開示】
【考案が解決しようとする課題】
【０００９】
本考案は、前述した従来の冷却ファンと比べて寸法が小さく且つ製造が安価な冷却ファンを提供することを目的とする。
【課題を解決するための手段】
【００１０】
したがって、本考案の冷却ファンは：
ケーシングであり、流体の通過のための前面開口部及び背面開口部を画定する周囲壁を有し、該周囲壁は収容空間を画定する内壁面を有する、ところのケーシングと；
収容空間に配置され且つ基板及び制御ユニットを含む回路板であり、
基板は周辺縁部を有する中央部分、及び中央部分の周辺縁部から延在し且つ周囲壁２３の内壁面２３０へ直接且つ確実に接続される複数の離間された接続梁を有し、制御ユニット３１は基板の中央部分に配置されている、ところの回路板と；
回路板へ直接固定され且つ回路板から収容空間を横切って突出し、回転軸線を画定する中空軸と；
回路板の基板の中央部分上に確実にマウントされ、中空軸を包囲し、且つ制御回路に結合する固定子と；
収容空間に配置され且つ中空軸へ回転可能に軸支されている環状ハブを含み、固定子を包囲し、且つ内壁を有する、ファンブレードユニットと；
ハブの内壁にマウントされ且つ固定子を包囲し且つ固定子に磁気的に結合し、それにより固定子が作動されるとき回転軸線周りをファンブレードユニットと共に回転する、回転子と、
を有する。
【考案を実施するための最良の形態】
【００１１】
本考案の他の特徴及び利点は、以下の好ましい実施形態の詳細な説明において、添付の図面を参照しながら、明らかになるであろう。
【００１２】
図３及び図４を参照すると、本考案による冷却ファンの好ましい実施形態は、
ケーシング２であり、流体の通過のための前面開口部２０１及び背面開口部２０２を画定する周囲壁２３を有し、該周囲壁２３は収容空間２０を画定する環状の内壁面２３０を有する、ところのケーシング２と；
収容空間２０に配置され且つ基板３４及び制御ユニット３１を有する回路板３であり、基板３４は周辺縁部を有する中央部分３４１、及び中央部分３４１の周辺縁部から延在し且つ周囲壁２３の内壁面２３０へ直接且つ確実に接続される複数の離間された接続梁３３を有し、制御ユニット３１は基板３４の中央部分３４１上に配置されている、ところの回路板３と；
回路板３へ直接固定され且つ回路板３から収容空間２０を横切って突出し、回転軸線（Ｌ）を画定する中空軸２２と；
回路板３の基板３４の中央部分３４１上に確実にマウントされ、中空軸２２を包囲し、且つ制御回路３１に結合する固定子４と；
収容空間２０に配置され且つ中空軸２２へ回転可能に軸支されている環状ハブ５１を含み、固定子４を包囲し、且つ内壁５５を有するファンブレードユニット５と；
ハブ５１の内壁５５にマウントされ且つ固定子４を包囲し且つ固定子４に磁気的に結合し、それにより固定子４が作動されるとき回転軸線（Ｌ）周りをファンブレードユニット５と共に回転する回転子５４と、
を含むよう示される。
【００１３】
ファンブレードユニット５は、ハブ５１から延在する車軸５２、中空軸２２にマウントされた一対の軸受６、及びハブ５１から外方向に延在する複数のブレード５３を更に含む。ハブ５１は、車軸５２を軸受６を通って延伸させることによって、中空軸２２へジャ―ナルされる。
【００１４】
ケーシング２の周囲壁２３は、回転軸線（Ｌ）に対して横にある平面２３５を有する。基板３４は、周囲壁２３の平面２３５と略同一高にある平面３４０を有する。
【００１５】
図５Ａ〜図５Ｄは、好ましい実施形態の冷却ファンを形成する方法の連続するステップを示す。基板３４として機能する樹脂材料の板３４’を、用意し（図５Ａ参照）、その中央部分に制御回路３１を形成する（図５Ｂ参照）。続けて、板３４’を、中央部分３４１及び梁３３（図５Ｃ参照）を有する所望の形状に切り取り、次にケーシング２へ接着接続する（図５Ｄ参照）。次に中空軸２２を、このようにして形成された回路版３の中央部分３４１へ接着して接続する。
【００１６】
制御回路３１は、従来の方法で固定子４に供給される信号を制御するよう、検出コンポーネント３２を設ける。
【００１７】
従来の冷却ファンのマウンティングベース１１１の機能を、本考案の冷却ファンの回路板３の基板３４に直接組み込むことによって、本考案の冷却ファンの寸法及び製造コストが、大幅に低減する。
【００１８】
本考案を、最も実用的で且つ好ましい実施形態と考えられるものに関連して説明してきたが、本考案を、開示された実施形態に限定するのではなく、最も広範囲の解釈の精神及び範囲内に含まれる様々な装置を対象として含むよう意図し、それにより全てのかかる変更及び同等の装置を網羅する。
【図面の簡単な説明】
【００１９】
【図１】従来の冷却ファンの分解斜視図である。
【図２】図１の線ＩＩ〜ＩＩに沿って取得された断面図である。
【図３】本考案による冷却ファンの好ましい実施形態の分解斜視図である。
【図４】図３の線ＩＶ〜ＩＶに沿って取得された断面図である。
【図５Ａ】好ましい実施形態のケーシング及び回路板の組み立てがどのように製造されるかを示す略図である。
【図５Ｂ】好ましい実施形態のケーシング及び回路板の組み立てがどのように製造されるかを示す略図である。
【図５Ｃ】好ましい実施形態のケーシング及び回路板の組み立てがどのように製造されるかを示す略図である。
【図５Ｄ】好ましい実施形態のケーシング及び回路板の組み立てがどのように製造されるかを示す略図である。
【符号の説明】
【００２０】
１              従来の冷却ファン
２、１１        ケーシング
３              回路版
４、１３        固定子
５、１４        ファンブレードユニット
６、１５        軸受
１２            制御ユニット
２０            収容空間
２２、１１２    中空軸
２３、１１０    周囲壁
３１            制御ユニット
３２、１２２    検出コンポーネント
３３            梁
３４            基板
３４’          板
５１            環状ハブ
５２、１４２    回転車軸
５３、１４３    ブレード
５４            回転子
５５            内壁
１１１          マウンティングベース
１２１          回路板
１４１          中空ハブ
１４４          磁気リング
２０１          前面開口部
２０２          背面開口部
２３０          内壁面
２３５、３４０  平面
３４１          中央部分
Ｌ              回転軸線
【図１】
0003126656.tif 000003
【図２】
0003126656.tif 000004
【図３】
0003126656.tif 000005
【図４】
0003126656.tif 000006
【図５Ａ】
0003126656.tif 000007
【図５Ｂ】
0003126656.tif 000008
【図５Ｃ】
0003126656.tif 000009
【図５Ｄ】
0003126656.tif 000010